(57)【要約】【課題】従来の拡張ドックの限定された機能の問題を解決するコンピュータ装置を提供すること。【解決手段】コンピュータ装置が一次本体および二次本体を備える。一次本体は、独立してコンピュータ動作を実施する一次ホストおよびコンピュータ動作を表示する一次モニタを備える。二次本体は、独立してコンピュータ動作を実施する二次ホストおよびコンピュータ動作を表示するタッチ・モニタを備える。二次ホストは一次ホストに結合され、電気的に一次ホストに接続される。ユーザは一次本体を二次本体の拡張ドックとして使用することができ、一次モニタは二次ホストの動作状態を表示するように切り替えられるようになっている。または、ユーザは二次本体を一次本体の入力装置として使用することができ、タッチ・モニタが一次ホストの動作を制御するように切り替えられ、一次モニタは一次ホストの動作状態を表示するようになっている。【選択図】図１
0003145244.tif 000002
【実用新案登録請求の範囲】
【請求項１】
一次ホストおよび一次モニタを有する一次本体であって、前記一次ホストが独立して動作を実行し、前記一次モニタが前記一次ホストの動作状態を表示し、前記一次ホストが拡張スロットおよび前記拡張スロットに配置されている一次コネクタを有する、一次本体と、
二次ホストおよびタッチ・モニタを有する二次本体であって、前記二次ホストが二次コネクタを有し、独立して動作を実行し、前記タッチ・モニタが前記二次ホストの動作状態を表示し、前記二次ホストの前記動作を制御する第１のモードで起動されるようになっており、または前記二次ホストが前記一次ホストの前記拡張スロット内に組み立てられ、前記二次コネクタが差し込みによって前記一次コネクタに接続されて、電気的に前記一次ホストと前記二次ホストとを接続するようになり、前記一次モニタが前記二次ホストの前記動作状態を表示するように切り替えられ、もしくは前記タッチ・モニタが第２のモードに切り替えられ、前記一次ホストの前記動作を制御するように起動され、前記一次モニタが前記一次ホストの前記動作状態を表示するようになっている、二次本体と、
を備えるコンピュータ装置。
【請求項２】
前記一次ホストが入力装置を有し、前記入力装置が、前記一次ホストの前記動作を制御するように起動され、または前記一次ホストと前記二次ホストとが電気的に接続されているとき、前記二次ホストの前記動作を制御するように切り替えられる、請求項１に記載のコンピュータ装置。
【請求項３】
前記一次ホストがメインボードを有し、演算処理装置が前記メインボードに電気的に配置され、前記演算処理装置が前記一次モニタ、前記一次コネクタおよび前記入力装置にメインボードを通って電気的に接続されている、請求項２に記載のコンピュータ装置。
【請求項４】
前記一次ホストおよび前記二次ホストが電気的に接続されているとき、前記演算処理装置が、前記一次ホストの前記動作状態を表示するように前記一次モニタを制御し、または前記一次モニタを切り替えて前記タッチ・モニタの前記動作状態を表示するように制御する、請求項３に記載のコンピュータ装置。
【請求項５】
前記一次ホストおよび前記二次ホストが電気的に接続されているとき、前記演算処理装置が、前記入力装置に前記一次ホストの前記動作を制御させ、または前記二次ホストの前記動作を制御するように前記入力装置を切り替える、請求項３に記載のコンピュータ装置。
【請求項６】
前記一次ホストが、前記メインボード上に電気的に差し込まれ、および電気的に前記一次モニタに接続されているディスプレイ・インターフェース・カードを有する、請求項３に記載のコンピュータ装置。
【請求項７】
複数の通信ポートが前記メインボード上に電気的に配置され、前記一次ホストおよび前記二次ホストが電気的に接続されているとき、前記演算処理装置が、前記一次ホストの信号を前記通信ポートに伝達し、または前記二次ホストの信号を前記通信ポートに伝達する、請求項３に記載のコンピュータ装置。
【請求項８】
前記一次モニタが前記一次ホスト上を枢動する、請求項１に記載のコンピュータ装置。
【考案の詳細な説明】
【技術分野】
【０００１】
本考案は、コンピュータ装置に関し、より具体的には、２つの分離型標準主本体を有するコンピュータ装置に関する。
【背景技術】
【０００２】
情報産業の発達に伴い、コンピュータ製品は生活をより便利なものにしている。したがって、現代の人々は生活および仕事上コンピュータ製品に多くを依存している。近年、携帯性およびモバイル・ビジネスに対するユーザの要求により、ノートブック型コンピュータが初期のデスクトップ型コンピュータに取って替わり、市場でメインフレーム・コンピュータ製品となっている。ノートブック型コンピュータは小さく、軽く、持ち運びが容易なので、ユーザは特定の場所で作業するように制限されない。したがって、ノートブック型コンピュータは日常生活で使用するにはより便利である。
【０００３】
市場で軽く薄いコンピュータを求める傾向の中で、ノートブック型コンピュータの体積はより小さく薄くなっている。したがって、ノートブック型コンピュータは、本来構成されるべき通信用接続ポートを収容する十分な空間を有しないことがあり、その結果、周辺機器との接続能力およびノートブック型コンピュータのハードウェア拡張能力は制限される。したがって、現在、ある製造者はノートブック型コンピュータ用の特定の拡張ドックを提供している。拡張ドックはノートブック型コンピュータと併せて直接使用することができ、いくつかの通信用標準接続ポートを有する。加えて、拡張ドックは光学的駆動装置またはハード駆動装置などの周辺機器をさらに接続することができて、周辺機器との接続能力およびノートブック型コンピュータのハードウェア拡張能力を高めるようになる。拡張ドックの発達は、非常に成熟しており、多くの特許が拡張ドックを開示しており、例えば、米国特許第７３５９１８５号、第７２９８６１３号、第７０３８９０８号および第６１３５８０１号である。
【０００４】
しかし、上記の特許では、拡張ドックはデータおよび電力を伝達する媒体に過ぎず、モニタが備え付けられているのではない。ノートブック型コンピュータの体積は小さいので、ノートブック型コンピュータの画面のサイズもまた小さい。ノートブック型コンピュータが机上に設置されるとき、ノートブック型コンピュータは人間工学の原理に一致しない。ノートブック型コンピュータを長期間使用した後、ユーザは画面を見るために悪い姿勢を取らなければならないことがあり、またはユーザの視力が損なわれることがある。したがって、多くのユーザは拡張ドックと共に使用される別のモニタを購入するであろう。しかし、追加のモニタにはより多くの費用がかかり、モニタと拡張ドックとの間の接続ワイヤは机上の大きな空間を占め、または空間を無秩序なものにする。したがって、大型サイズの液晶表示（ＬＣＤ）装置および拡張ドックを一体化する設計が、前述の問題を解決するために発達している。例えば、米国特許第２００５／０２７０７３１および第２００８／００２３５０号は、モニタを一体化する拡張ドックを開示する。
【０００５】
モニタを有する拡張ドックに関する上記の特許の中で、ノートブック型コンピュータは拡張ドック上に容易に組み立てられることができて、拡張ドックのモニタがノートブック型コンピュータの動作状態を表示するようになっている。しかし、モニタを有する拡張ドックは、データおよび電力のみを伝達する媒体であり、ノートブック型コンピュータのスクリーン画像を表示する機能を備え付けられ、その結果、拡張ドックはノートブック型コンピュータに接続される前に独立して働くことができない。したがって、モニタを有する拡張ドックは限定された機能を有し、高いコストのために高価であるが実用的ではない。この設計は顧客にとって好ましくない。
【考案の開示】
【考案が解決しようとする課題】
【０００６】
ノートブック型コンピュータの拡張ドックが従来技術では高価で実用的ではないという問題を解決するために、本考案は従来の拡張ドックの限定された機能の問題を解決するコンピュータ装置に向けられたものである。
【課題を解決するための手段】
【０００７】
したがって、本考案は、一次本体および二次本体を備えるコンピュータ装置を提供する。一次本体は一次ホストおよび一次ホストに枢動する一次モニタを備え、一次本体は実質的にモニタを有する拡張ドックコンピュータである。一次ホストは、普通のコンピュータシステムのハードウェア・アーキテクチャを有し、コンピュータ動作を独立して実行することができる。一次モニタは、電気的に一次ホストに接続され、一次ホストが独立してコンピュータ動作を実行するとき、一次ホストの動作状態を表示する。一次ホストは、さらに拡張スロットおよび拡張スロット内に配置された一次コネクタを有する。二次本体は、二次ホストおよびタッチ・モニタを有し、二次本体は実質的に携帯型コンピュータである。二次ホストもまた、普通のコンピュータシステムのハードウェア・アーキテクチャを有し、コンピュータ動作を独立して実行することができる。二次ホストは、一次ホストの一次コネクタに一致し、差し込みによってそれに接続されることができる二次コネクタを有する。タッチ・モニタは、電気的に二次ホストに接続されており、二次ホストが独立してコンピュータ動作を実行するとき、二次ホストの動作状態を表示するためのものである。タッチ・モニタは、ユーザによって二次ホストの動作を制御する第１のモードで起動される。二次ホストが一次ホストの拡張スロットに組み立てられるとき、二次ホストの二次コネクタは差し込みによって一次ホストの一次コネクタに接続されて、電気的に一次ホストおよび二次ホストを接続するようになる。一方、ユーザは、一次ホストおよび二次ホストが結合された後、動作モードを選択することができる。第１の動作モードでは、一次モニタは二次ホストのコンピュータ動作状態を表示するように切り替えられ、タッチ・モニタが第１のモードを維持して、二次ホストの動作を制御するようになっている。第２の動作モードでは、タッチ・モニタは第２のモードに切り替えられ、一次ホストの動作を制御するように起動され、一次モニタは一次ホストの動作状態を表示するようにされる。
【考案の効果】
【０００８】
本考案は次の効果を有する。二次ホストが一次ホストから分離されるとき、２つの要素は独立してコンピュータ動作を実行することができ、二次ホストが一次ホストに結合されるとき、それらは一緒にコンピュータ動作を実行する。二次ホストが一次ホストに結合されるとき、一次モニタは二次主コンピュータのコンピュータ動作状態を表示するように、または一次ホストのコンピュータ動作状態を表示するように切り替えられることができ、タッチ・モニタは二次ホストのコンピュータ動作状態を制御するように、または一次ホストのコンピュータ動作状態を制御するように切り替えられることができる。したがって、一次ホスト（拡張ドックコンピュータ）および二次ホスト（携帯型コンピュータ）の機能は、ユーザの実用上の要求を満たすように効果的に高められる。
【０００９】
本考案は、以下の本明細書に与えられた詳細な説明からより完全に理解されるであろうが、この詳細な説明は図示のためだけであり、したがって、本考案を限定するものではない。
【考案を実施するための最良の形態】
【００１０】
本考案の目的、構造、特徴および機能をより理解できるようにするために、本考案が以下の実施形態に関連して詳細に説明される。
【実施例】
【００１１】
図１〜図４は、本考案のコンピュータ装置を示す。コンピュータ装置は、一次本体１０および二次本体２０を備える。一次本体１０および二次本体２０は、独立して動作することができる。二次本体２０は、一次本体１０に結合されることができ、一次本体１０と一体化された後、複数の動作モードで使用されることができる。
【００１２】
図１、２、３および４を参照すると、一次本体１０は一次ホスト１１および一次モニタ１２を有する。一次本体１０は、大きなサイズのモニタを有する実質的に拡張ドックコンピュータであり、それは普通のコンピュータとして、または二次本体２０の拡張ドックとして使用することができる。一次ホスト１１は、普通の主本体のハードウェア・アーキテクチャを有し、メインボード、中央演算処理装置（ＣＰＵ）、キャッシュ・メモリ、ハード駆動装置、光学的駆動装置および電源を備える。特定の動作ソフトウェアが一次ホスト１１上にインストールされることができ、一次本体１０の一次ホスト１１が独立してコンピュータ動作を実行することができる。一次モニタ１２は、一次ホスト１１のケースの１つの側面に枢動し、電気的に一次ホスト１１に接続されている。一次モニタ１２は、実質的に液晶表示（ＬＣＤ）スクリーンであり、一次ホスト１１が独立してコンピュータ動作を実行するとき、一次ホスト１１の動作状態を表示することができる。
【００１３】
一次ホスト１１はさらに、拡張スロット１３、一次コネクタ１４、メインボード１５、入力装置１６、記憶装置１８、ディスプレイ・インターフェース・カード１９および熱放散ファン１９１を備える。拡張スロット１３のサイズは、二次本体２０のサイズに一致して、二次本体２０を収容するようになっている。一次コネクタ１４は、拡張スロット１３内に配置され、一次コネクタ１４は電気的にメインボード１５上に配置され、または電気的にメインボード１５に接続されている。演算処理装置１７は、電気的にメインボード１５上に配置される。演算処理装置１７は、実質的に主本体の中央演算処理装置（ＣＰＵ）である。さらに、演算処理装置１７は、メインボード１５を通って、一次モニタ１２、一次コネクタ１４および入力装置１６に電気的に接続されている。
【００１４】
複数の通信ポート１５１が、メインボード１５上に電気的に配置される。例えば、通信ポート１５１は、プリンタ・ポート、ユニバーサル・バス・ポート、オーディオ・インターフェース・ポートおよびビジュアル・インターフェース・ポートであることができる。入力装置１６は電気的にメインボード１５に接続されており、入力装置１６は一次ホスト１１の動作を制御するように起動される。入力装置１６は実質的に一次ホスト１１内に一体化されたコンピュータ・キーボードである。記憶装置１８は電気的にメインボード１５に差し込まれ、または電気的にメインボード１５に接続されている。記憶装置１８は、実質的にキャッシュ・メモリ・モジュールまたは主本体のハード駆動装置であり、演算処理装置１７によって処理されるソフトウェア・プログラムおよびデータ・ファイルを記憶する。ディスプレイ・インターフェース・カード１９は、電気的にメインボード１５上に差し込まれ、電気的に主モニタ１２に接続されている。一次ホスト１１が動作するとき、演算処理装置１７は生成された表示信号を処理し、表示信号は最初にディスプレイ・インターフェース・カード１９上のチップに処理のために送られ、次いで一次モニタ１２に表示のために伝達される。
【００１５】
図１、２、３および４を参照すると、二次本体２０は二次ホスト２１およびタッチ・モニタ２２を備える。二次本体２０は実質的に携帯型コンピュータであり、例えば、ノートブック型コンピュータ、タブレット・パーソナル・コンピュータまたはウルトラ・モバイル・パーソナル・コンピュータ（ＵＭＰＣ）である。二次ホスト２１はまた、普通の主本体のハードウェア・アーキテクチャを有し、独立してコンピュータ動作を実行することができる。二次ホスト２１は、一次ホスト１１の一次コネクタ１４に一致し、それに差し込みによって接続されることができる二次コネクタ２３を有する。タッチ・モニタ２２は二次ホスト２１上に配置され、電気的に二次ホスト２１に接続されている。タッチ・モニタ２２は実質的に液晶表示（ＬＣＤ）タッチ・スクリーンである。タッチ・モニタ２２は、二次ホスト２１が独立してコンピュータ動作を実行するとき、二次ホスト２１の動作状態を表示し、ユーザによって二次ホスト２１の動作を制御する第１のモードで起動される。したがって、タッチ・モニタ２２はまた、二次ホスト２１の入力装置として使用されることができ、例えば、ユーザが操作する実質上のキーボードまたは実質上のライティング・パッドである。
【００１６】
二次ホスト２１は二次メインボード２４、演算処理装置２５および記憶装置２６を有する。演算処理装置２５は電気的に二次メインボード２４上に配置されており、二次メインボード２４を通って、タッチ・モニタ２２、二次コネクタ２３および記憶装置２６に電気的に接続される。記憶装置２６は電気的に二次メインボード２４に差し込まれ、または電気的に二次メインボード２４に接続される。記憶装置２６は、実質的にキャッシュ・メモリ・モジュールまたは主本体のハード駆動装置であり、演算処理装置２５によって処理されるソフトウェア・プログラムおよびデータ・ファイルを記憶する。二次ホスト２１が動作するとき、演算処理装置２５は生成された表示信号を処理し、生成された表示信号は、最初に二次メインボード２４上のチップを表示するように運ばれ、次いで表示のためにタッチ・モニタ２２に伝達される。
【００１７】
二次本体２０の二次ホスト２１が一次本体１０の一次メインボード１１の拡張スロット１３に組み立てられるとき、二次ホスト２１の二次コネクタ２３は一次ホスト１１の一次コネクタ１４に接続されて、一次ホスト１１および二次ホスト２１を接続するようになる。このとき、二次本体２０は一次本体１０から電力を獲得し、例えば、一次ホスト１１の電力供給源が、一次コネクタ１４および二次コネクタ２３を通って、二次ホスト２１の再充電可能な電池に充電する。一方、ユーザは、一次ホスト１１および二次ホスト２１が結合された後、協力モードを選択することができる。例えば、ユーザはタッチ・モニタ２２によってもたらされたタッチ・メニュから選択することができ、または入力装置１６を使用して、一次モニタ１２によってもたらされた非タッチ・メニュから選択することができる。上記のメニュは第１の動作モードおよび第２の動作モードを含む。メニュによって適応された制御プログラムは、記憶装置１８および記憶装置２６に記憶され、演算処理装置１７および演算処理装置２５によって処理される。
【００１８】
二次ホスト２１および一次ホスト１１が結合され、電気的に接続されるとき、もしユーザが第１の動作モードを選択するならば、一次モニタ１２は、演算処理装置１７によって二次ホスト２１のコンピュータ動作状態を表示するように切り替えられ、二次ホスト２１のタッチ・モニタ２２は二次ホスト２１の動作を制御するように第１のモードに留まり、入力装置１６は二次ホスト２１の動作を制御し、および二次ホスト２１の信号を通信ポート１５１に伝達するように切り替えられる。したがって、二次ホスト２１の信号は一次ホスト１１によって外部装置に伝達され、または一次ホスト１１は外部信号を受信し、二次ホスト２１は他のコンピュータ周辺機器に接続されるようになっており、例えば、通信ポート１５１に接続されているマウス、ジョイスティックもしくはプリンタ、または一次ホスト１１にインストールされた光学的駆動装置もしくはハード駆動装置に接続されている。ユーザが動作モードを選択した後、タッチ・モニタ２２はやはり二次ホスト２１の動作状態を表示し、またはユーザの指の転置を検出して、一次モニタ１２上のカーソルの動きを制御する。したがって、ユーザが第１の動作モードを選択するとき、一次ホスト１１は二次ホスト２１の拡張ドックとして機能する。
【００１９】
二次ホスト２１および一次ホスト１１が結合され、電気的に接続された後、もしユーザが第２の動作モードを選択するならば、演算処理装置１７はタッチ・モニタ２２を第２のモードに切り替え、その第２のモードでは、タッチ・モニタ２２は一次ホスト１１の動作を制御するように起動され、演算処理装置１７は一次ホスト１１の動作状態を表示し続けるように一次モニタ１２を制御し、入力装置１６が一次ホスト１１の動作を制御し続け、一次ホスト１１の信号を通信ポート１５１に伝達するようになっている。ユーザが動作モードを選択した後、演算処理装置１７は実質上のタッチパッドをもたらすようにタッチ・モニタ２２を制御し、タッチ・モニタ２２はユーザの指の転置を検出して、一次モニタ１２上のカーソルの動きを制御するようになる。したがって、ユーザが第２の動作モードを選択するとき、一次本体１０は普通のコンピュータとして機能することができ、二次本体２０は一次本体１０の入力装置として機能することができる。
【００２０】
本考案では、二次ホストが一次ホストから分離されるとき、２つの要素は独立してそのコンピュータ動作を実行し、二次ホストが一次ホストに結合されるとき、２つの要素は一体化されてコンピュータ動作を実行することができる。二次ホストが一次主本体に結合されるとき、一次モニタは、二次ホストのコンピュータ動作状態または一次ホストのコンピュータ動作状態を表示するように切り替えられることができ、タッチ・モニタは、二次ホストのコンピュータ動作状態または一次ホストのコンピュータ動作状態を制御するように切り替えられることができる。したがって、一次ホスト（拡張ドックコンピュータ）および二次ホスト（携帯型コンピュータ）の機能は、ユーザの実用上の要求を満たすように効果的に高められる。
【図面の簡単な説明】
【００２１】
【図１】一次本体が二次本体から分離しているときの本考案のコンピュータ装置の概略図である。
【図２】一次本体が二次本体に結合されたときの本考案のコンピュータ装置の概略図である。
【図３】一次本体が二次本体に結合され、一次モニタが閉じられたときの本考案のコンピュータ装置の概略図である。
【図４】本考案のコンピュータ装置の機能のブロック図である。
【図１】
0003145244.tif 000003
【図２】
0003145244.tif 000004
【図３】
0003145244.tif 000005
【図４】
0003145244.tif 000006